(57)【要約】【課題】商品に景品を付属させて簡単に包装でき、景品と商品の取り出しが容易で、廃棄しやすい景品収納部付き包装体を提供する。【解決手段】商品包装部１を、帯状に繋がる底板３、一対の側板４及び上板５を折り曲げて形成し、景品収納部２を、一方の側板４の上延部８に順次繋がる天板９及び側延板１０の上延部８を折り曲げ、側延板１０を他方の側板４に貼り付け、天板９の両端から延びる端閉板１１を閉じて形成する。側延板１０に景品収納部２の開封用切目線１５を入れ、また、側板４に商品包装部１の開封用切目線１６を入れ、切目線１５，１６を、その中間の切始側から両端の切終側へ向けてＶ字状に斜向させる。【選択図】図３
2007039119.tif 000002
【特許請求の範囲】
【請求項１】
商品包装部１に景品収納部２を付属させた包装体において、商品包装部１を、帯状に繋がる底板３、一対の側板４及び上板５を折り曲げて形成し、景品収納部２を、一方の側板４の上延部８に繋がる側延板１０の上延部８を折り曲げ、側延板１０を他方の側板４に貼り付け、端閉板１１を閉じて形成し、側延板１０に景品収納部２の開封用切目線１５を入れたことを特徴とする景品収納部付き包装体。
【請求項２】
請求項１に記載の景品収納部付き包装体において、いずれかの側板４に商品包装部１の開封用切目線１６を入れたことを特徴とする景品収納部付き包装体。
【請求項３】
請求項１又は２に記載の景品収納部付き包装体において、切目線１５，１６を、その中間の切始側から両端の切終側へ向けてＶ字状に斜向するものとしたことを特徴とする景品収納部付き包装体。
【請求項４】
請求項１乃至３のいずれかに記載の景品収納部付き包装体において、底板３及び上板５の両端から延出した保持片７を内側へ折り曲げ、この保持片７を商品に係合させて、商品包装部１の側面から商品を抜け止めしたことを特徴とする景品収納部付き包装体。
【請求項５】
請求項１乃至４のいずれかに記載の景品収納部付き包装体において、一方の側板４の上延部８と側延板１０の上延部８との間に天板９を介在させ、端閉板１１を天板９の両端から延出したことを特徴とする景品収納部付き包装体。
【請求項６】
請求項１乃至５のいずれかに記載の景品収納部付き包装体において、端閉板１１の先端に設けた係止片１３を、上板５に設けた係止穴１４に係合させて、景品収納部２を封緘したことを特徴とする景品収納部付き包装体。
【発明の詳細な説明】
【技術分野】
【０００１】
この発明は、飲料缶等の商品に景品を付属させて販売する景品収納部付き包装体に関するものである。
【背景技術】
【０００２】
従来より、飲料メーカーの販売促進施策の一環として、飲料缶等の商品に景品を付属させることが行われており、この際、景品は、複数の商品を集合包装する紙製包装体に粘着テープ等で貼着することが一般的である。
【０００３】
ところが、この場合、店頭で景品のみが取り去られる事態が多発するため、その対策として、商品と景品とをそれぞれの収納部を有する直方体状の包装箱に収納して販売することが考えられている。
【発明の開示】
【発明が解決しようとする課題】
【０００４】
しかしながら、上記のような包装箱を用いると、流通過程で複数の商品を集合包装したり、景品を添付する作業に手間がかかるという問題がある。また、購入者が景品や商品を取り出しにくく、開封後の廃棄物が嵩張るという問題もある。
【０００５】
そこで、この発明は、商品に景品を付属させて簡単に包装でき、景品と商品の取り出しが容易で、廃棄しやすい景品収納部付き包装体を提供することを課題とする。
【課題を解決するための手段】
【０００６】
上記のような課題を解決するため、この発明は、商品包装部に景品収納部を付属させた包装体において、商品包装部を、帯状に繋がる底板、一対の側板及び上板を折り曲げて形成し、景品収納部を、一方の側板の上延部に繋がる側延板の上延部を折り曲げ、側延板を他方の側板に貼り付け、端閉板を閉じて形成し、側延板に景品収納部の開封用切目線を入れ、また、いずれかの側板に商品包装部の開封用切目線を入れ、これらの切目線を、その中間の切始側から両端の切終側へ向けてＶ字状に斜向するものとしたのである。
【０００７】
また、前記底板及び上板の両端から延出した保持片を内側へ折り曲げ、この保持片を商品に係合させて、商品包装部の側面から商品を抜け止めしたのである。
【０００８】
さらに、一方の側板の上延部と側延板の上延部との間に天板を介在させ、端閉板を天板の両端から延出し、端閉板の先端に設けた係止片を、上板に設けた係止穴に係合させて、景品収納部を封緘したのである。
【発明の効果】
【０００９】
この景品収納部付き包装体では、景品収納部に景品を予め収納しておき、店頭で商品包装部に側面から商品を収納することができるので、流通過程での作業負荷を軽減することができ、店頭で景品だけが取り去られることもない。
【００１０】
また、切目線の切断に伴い、景品収納部を開封し、景品のみを取り出すことができ、また、商品包装部を開封し、商品を簡単に取り出すことができる。
【００１１】
さらに、開封後、包装体が平板状になるため、廃棄時に嵩張ることがなく、切目線をＶ字状に入れたものでは、切裂帯等のごみが別途発生することもない。
【発明を実施するための最良の形態】
【００１２】
以下、この発明の実施形態を添付図面に基づいて説明する。
【００１３】
この包装体は、商品として２本の飲料缶を纏めて包装し、これらの飲料缶に景品を付属させるものである。そして、この包装体のブランクは、板紙を材料とし、図１に示すように、商品包装部１となる部分と、景品収納部２となる部分とが帯状に繋がった構成とされている。
【００１４】
商品包装部１となる部分では、底板３の両側に一対の側板４が連設され、一方の側板４に景品収納部２となる部分が繋がっている。他方の側板４には、上板５及び継代片６が順次連設され、上板５の両端には半円状の保持片７が連設されている。底板３の中央部には切溝が設けられ、両側板４の底板３との境界部には複数本の罫線が入れられている。
【００１５】
景品収納部２となる部分では、一方の側板４に上延部８を介して天板９が連設され、さらに上延部８を介して側延板１０が連設されている。一方の側板４及び側延板１０の上延部８の両端は、天板９へかけて斜め内側に切断され、天板９の両端には端閉板１１及び差込片１２が順次連設されている。
【００１６】
また、上記各部分において、端閉板１１の先端中央部には、差込片１２への切込により係止片１３が設けられ、上板５には、三角状で底辺に切目が入った一対の係止穴１４が頂部同士を向き合わせて設けられている。
【００１７】
さらに、側延板１０及び他方の側板４には、ジッパ形の切目線１５，１６がそれぞれ入れられ、切目線１５，１６は、中間の切始側から両端の切終側へ向けてＶ字状に斜向している。切目線１６の切始側には、押込片１７が切込により形成されている。
【００１８】
このようなブランクから成る包装体を組み立てるには、まず、図２に示すように、商品包装部１となる部分において、ブランクを底板３と他方の側板４との境界の罫線に沿って折り重ね、継代片６を一方の側板４の上延部８の下方に貼り付ける。また、景品収納部２となる部分を折り返し、側延板１０を切目線１５の外側で他方の側板４に貼り付ける。
【００１９】
そして、この包装体を使用する際には、飲料メーカーにおいて、一方の側板４及び側延板１０の上延部８を起こし、立体化した景品収納部２に景品Ｅを収納して、端閉板１１を閉じ、差込片１２を景品収納部２に差し込み、係止片１３を係止穴１４に係合させ、景品収納部２を封緘した状態で、包装体を多数積み重ねて外箱に収納し、小売店へ配送する。
【００２０】
その後、小売店の店頭において、図３に示すように、底板３から一対の側板４を起こして、保持片７を内側に折り曲げ、立体化した商品包装部１に側面の開口部から飲料缶Ｃを挿入すると、保持片７が反発により飲料缶Ｃの上下端面の外周部に係合し、飲料缶Ｃが商品包装部１の側面から抜け止めされる。
【００２１】
上記のような景品収納部付き包装体では、景品収納部２に景品Ｅを予め収納しておき、店頭で商品包装部１に側面から飲料缶Ｃを収納することができるので、流通過程での作業負荷を軽減することができ、店頭で景品Ｅだけが取り去られることもない。
【００２２】
また、この包装状態では、商品の購入者が店頭から包装体を持ち帰る際、景品収納部２の対向する端閉板１１を握って包装体を持ち上げたとき、端閉板１１の下部が景品収納部２の内側へ押し込まれて、対向する端閉板１１が上広がりに傾くので、手が滑って包装体を落下させる危険性が減少する。
【００２３】
一方、この包装体から景品Ｅを取り出す際には、図４に示すように、切目線１５を切断して、側延板１０を分割すると、景品収納部２が開封されるので、飲料缶Ｃの取り出しに先立って、景品Ｅのみを取り出すことができる。
【００２４】
また、飲料缶Ｃを取り出す際には、図５に示すように、押込片１７を押し込み、切目線１６を切断して、他方の側板４を分割すると、商品包装部１が開封されるので、飲料缶Ｃを簡単に取り出すことができる。
【００２５】
さらに、商品包装部１及び景品収納部２を開封した後、この包装体は、平板状に展開されるため、廃棄時に嵩張ることがなく、切目線１５，１６をＶ字状に入れたことにより、切裂帯等のごみが別途発生することもない。なお、商品包装部１の切目線１６は、対向するいずれの側板４に入れてもよい。
【００２６】
ところで、上記実施形態では、商品包装部１と景品収納部２とが１枚のブランクから成るものを例示したが、商品包装部１と景品収納部２とを別体とし、一方の側板４の上部で継ぎ合わせるようにしてもよい。
【００２７】
また、商品包装部１は、継代片６の貼り付けによる接合に替えて、一般的な６缶入りの集合包装体のように、両方の側板４の下端から延長した底板同士を底面で噛み合わせることにより、角筒状に接合する形式としてもよい。
【００２８】
さらに、景品収納部２は、天板９を省略し、一方の側板４の上延部８と側延板１０の上延部８とが直接繋がって三角屋根状の形状をなし、一方の上延部８から端閉板１１が延びるような構成としてもよい。
【図面の簡単な説明】
【００２９】
【図１】この発明の実施形態に係る包装体のブランクを示す図
【図２】同上の景品収納部を組み立てた折畳状態を示す斜視図
【図３】同上の商品包装状態を示す斜視図
【図４】同上の景品収納部の開封状態を示す斜視図
【図５】同上の商品包装部の開封状態を示す斜視図
【符号の説明】
【００３０】
１  商品包装部
２  景品収納部
３  底板
４  側板
５  上板
６  継代片
７  保持片
８  上延部
９  天板
１０  側延板
１１  端閉板
１２  差込片
１３  係止片
１４  係止穴
１５，１６  切目線
１７  押込片
【図１】
2007039119.tif 000003
【図２】
2007039119.tif 000004
【図３】
2007039119.tif 000005
【図４】
2007039119.tif 000006
【図５】
2007039119.tif 000007